(57)【要約】【課題】電子回路基板を導電性の部材の上に置いた場合などには一次電池２の半田が導電性部材と接触して両極間が短絡してしまい、一次電池２の初期性能を低下させてしまっていた。【解決手段】一次電池２のリード端子２ｂよりもプリント基板からの突出長が長いリード端子３１ｂを有した基板部品３１を備え、このリード端子３１ｂが多角形領域Ｒを形成するようにプリント基板上１に基板部品３１を配置するとともに、一次電池２のリード端子２ｂの少なくとも一つをこの多角形領域Ｒ内に配置した。プリント基板１の半田面では、一次電池２のリード端子２ｂよりも、基板部品３１のリード端子３１ｂの方が突出し、導電性部材の上に電子回路基板を載せたとしても、リード端子３１ｂの先端が導電性部材と接触するため、一次電池２のリード端子２ｂが導電性部材と接触することはなく、一次電池２の短絡が防止される。【選択図】図１
2010055905.tif 000002
【特許請求の範囲】
【請求項１】
リード端子が突設された基板部品および一次電池がプリント基板上に実装された電子回路基板において、一部の基板部品のリード端子は、一次電池のリード端子よりもプリント基板からの突出長を長くするとともに、それらを結ぶ直線が多角形領域を形成するようにプリント基板上に配置され、一次電池のリード端子は少なくとも１つが該多角形領域内に配置されていることを特徴とする電子回路基板。
【請求項２】
前記多角形領域を形成する基板部品は、一次電池から電源が供給されない部品であることを特徴とする請求項１記載の電子回路基板。
【請求項３】
一次電池から電源が供給される基板部品が前記多角形領域内に配置されることを特徴とする請求項２記載の電子回路基板。
【発明の詳細な説明】
【技術分野】
【０００１】
本発明は、一次電池を実装した電子回路基板であって、特に一次電池の短絡を防止する実装方法に関するものである。
【背景技術】
【０００２】
従来、マイコンのバックアップ等の目的で、プリント基板上に一次電池を実装した電子回路基板が多く使用されている。図５は従来の電子回路基板における一次電池の取付け状態を示した図であって、プリント基板１１には挿入孔１４が貫通形成され、この挿入孔１４内に一方の側から一次電池１２のリード端子１２ｂが差し込まれ、反対側ではプリント基板１１から突出したリード端子１２ｂとプリント基板１１裏面の配線パターンとが半田されることで、電気的に接続されるようになっている。
【０００３】
また、このような電子回路基板を備えた機器において、通常、マイコンは商用電源を整流平滑した直流電源によって駆動されるようになっており、一次電池１２からマイコンへ電源を供給するのは商用電源の供給が停止しているときなどの特別な場合のみである。したがって、一次電池１２の消耗を抑えるために、一次電池１２から電源が供給されるのは回路の一部だけに限定されるような回路構成とすることが一般的に行われている。
【０００４】
ところで、上述のような電子回路基板においては、プリント基板１１の裏面では一次電池１２の半田が露出している。そのため、電子回路基板を導電性の部材の上に置いた場合などには一次電池１２の半田が導電性部材と接触して両極間が短絡してしまい、一次電池１２の初期性能を低下させてしまうといった問題があった。また、一次電池１２が短絡した状態が長時間続けば、性能が低下するだけでなく発火の危険性もある。
【０００５】
したがって、電子回路基板の取扱いには十分注意が必要とされ、特に製造工程中に電子回路基板を通い箱に入れて運搬・保管する際には、一次電池１２の両極が短絡しないように箱を加工したり、箱自体を絶縁性を有するものにするなどの対策が必要であった。しかし、通い箱の加工には手間とコストがかかり、そして、絶縁性を有する通い箱は帯電しやすく、帯電した電荷が回路部品の静電破壊を招くという新たな問題が発生してしまう。
【０００６】
そこで、一次電池１２の両極間が短絡しないようなプリント基板１１上への実装方法が考案されている（特許文献１）。
【特許文献１】実開昭５９−１４１６６２号公報
【発明の開示】
【発明が解決しようとする課題】
【０００７】
しかしながら、特許文献に開示されている方法ではコネクタや抵抗等の部品が必要であることから、コストアップとなり、さらには実装の手間もかかってしまうことになる。
【０００８】
本発明は、上記課題を解決するためのもので、コストアップや実装の手間をかけることなく、簡単な構成で一次電池の短絡を防止することのできる電子回路基板を提供することを目的とする。
【課題を解決するための手段】
【０００９】
本発明は、リード端子が突設された基板部品および一次電池がプリント基板上に実装された電子回路基板において、一部の基板部品のリード端子は、一次電池のリード端子よりもプリント基板からの突出長を長くするとともに、それらを結ぶ直線が多角形領域を形成するようにプリント基板上に配置され、一次電池のリード端子は少なくとも１つが該多角形領域内に配置されていることを特徴とする電子回路基板である。
【００１０】
また、前記多角形領域を形成する基板部品は、一次電池から電源が供給されない部品であることを特徴とする請求項１記載の電子回路基板である。
【００１１】
また、一次電池から電源が供給される基板部品が前記多角形領域内に配置されることを特徴とする請求項２記載の電子回路基板である。
【発明の効果】
【００１２】
一部の基板部品のリード端子をプリント基板から長く突出させるだけで、コストアップや実装の手間を発生させることなく一次電池の両極間が短絡してしまうことを防止することが可能となる。したがって、運搬や保管の際に使用する通い箱を特別なものにする必要がなくなり、取扱いが容易となる。
【発明を実施するための最良の形態】
【００１３】
好適と考える本発明の実施形態を、本発明の作用を示して簡単に説明する。
【００１４】
本発明は、リード端子が突設された基板部品および一次電池をプリント基板上に備えた電子回路基板であって、プリント基板からの突出長が長い基板部品のリード端子を頂点として多角形を形成し、その多角形領域内に一次電池のリード端子の少なくとも一つを配置したものである。
【００１５】
一次電池と基板部品はリード端子をプリント基板に挿入して実装されており、プリント基板の半田面では、一次電池のリード端子よりも、多角形の頂点となる基板部品のリード端子の方が突出した状態となっている。したがって、例えば、導電性の部材の上に電子回路基板を載せたとしても、多角形の頂点となる基板部品のリード端子の先端が導電性部材と接触するため、多角形領域内にある一次電池のリード端子が導電性部材と接触することはないから、一次電池の電極間での短絡を防止することができる。
【００１６】
つまり、基板部品のうち一部のリード端子をプリント基板からから長く突出させることにより、部品を追加したりすることなく一次電池の短絡を防止することができるのである。また、部品を実装する方法は従来と変わることがないから、作業性の面においても優れている。
【実施例】
【００１７】
以下、図面に基づいて本発明の具体的な実施例について説明する。
【００１８】
図１は本発明の電子回路基板の断面図であって、プリント基板１には一次電池２、コンデンサやトランジスタに代表される基板部品３１、３２などが複数実装されて電子基板回路が構成されている。
【００１９】
一次電池２はマイコンのバックアップの目的で設けられたものであり、電池本体２ａと、電池本体２ａの底部から突設して形成されたリード端子２ｂから構成されている。通常、このような電子回路基板では、機器の動作を制御するマイコン（図示せず）は商用電源が供給されて駆動されているが、停電もしくは電源コンセントを抜いてしまって商用電源の供給が停止しているような場合には、この一次電池２からマイコンへ電源が供給されるようになっている。
【００２０】
基板部品３１、３２は部品本体３１ａ、３２ａと、部品本体３１ａ、３２ａの底部から突設して形成されたリード端子３１ｂ、３２ｂから構成されている。
【００２１】
また、プリント基板１には挿入孔４が複数貫通形成されており、この挿入孔４内に一方の側から一次電池２や基板部品３１、３２のリード端子２ｂ、３１ｂ、３２ｂが差し込まれ、プリント基板１の反対側に突出したリード端子２ｂ、３１ｂ、３２ｂとプリント基板１裏面の配線パターンとが半田されることで、電気的に接続されるようになっている。
【００２２】
そして、この基板部品３１、３２には、プリント基板１からの突出長が一次電池２のリード端子２ｂより長いリード端子３１ｂを備えた基板部品３１と、リード端子３１ｂより突出長の短いリード端子３２ｂを備えた基板部品３２が存在している。
【００２３】
図２は電子回路基板の半田面であって、プリント基板１からの突出長が長いリード端子３１ｂを頂点として、これらを結ぶ直線が三角形領域Ｒを形成するように基板部品３１がプリント基板１上に配置されており、この三角形領域Ｒ内にリード端子２ｂの少なくとも一方が収まるように一次電池２が配置されている。リード端子３１ｂは基板部品３１ひとつにつき複数設けられているが、三角形の頂点となるリード端子３１ｂは三角形領域Ｒを最大とするものである。
【００２４】
なお、本発明におけるリード端子３１ｂは、プリント基板１からの突出長が一次電池２のリード端子２ｂよりも長いリード端子を指すものであるから、図３のように、リード端子自体の長さは基板部品３１と一次電池２では変わらないか若しくは一次電池２の方が長いとしても、プリント基板１から突出している部分の長さが基板部品３１のリード端子３１ｂの方が長くなっていれば良い。
【００２５】
また、一次電池２から電源を供給する必要があるのは商用電源の供給が停止しているときなどの特別な場合のみであるから、一次電池２の消耗を抑えるために、一次電池２から電源が供給されるのは回路の一部のみとしている。そのため、基板部品３１、３２の中にも一次電池２から電源が供給されるものと、供給されないものがあるが、プリント基板１からの突出長が長いリード端子３１ｂを備える基板部品３１は一次電池２からの電源が供給されないものである。
【００２６】
上述のように構成することにより、プリント基板１の裏面では、一次電池２のリード端子２ｂよりも、三角形の頂点となる基板部品３１のリード端子３１ｂの方が突出した状態となっている。そして、一次電池２はリード端子２ｂの少なくとも一つが三角形領域Ｒ内に配置されているので、例えば、導電性の部材の上に電子回路基板を載せたとしても、三角形の頂点となるリード端子３１ｂの先端が導電性部材と接触するため、三角形領域Ｒ内にある一次電池２のリード端子２ｂが導電性部材と接触することはない。したがって、一次電池２の両極間が短絡してしまうことが防止される。
【００２７】
そして、リード端子３１ｂを備えた基板部品３１は、一次電池２からの電源の供給を受けない部品であるから、リード端子３１ｂを備えた基板部品３１が導電性部材と接触しても一次電池２が消耗することはない。
【００２８】
したがって、電子回路基板を運搬・保管する際には、通常用いられる通い箱をそのまま使用することができるので、箱を加工したりする手間とコストを削減することができる。
【００２９】
なお、本実施例において、リード端子３１ｂを備えた基板部品３１は３点であるため、リード端子３１ｂを頂点として形成される領域Ｒは三角形になっているが、リード端子３１ｂは一次電池２のリード端子２ｂの少なくとも１つを内部に収容する多角形領域Ｒを形成していればよく、その形状は三角形に限るものではない。つまり、プリント基板１上の部品配置によっては、一次電池２を収容することのできる領域Ｒが三角形以外の形状になることもあるので、その場合はプリント基板１上の部品配置に合わせて適宜変更可能である。
【００３０】
図４は、本発明のその他の形態を示す図であって、３３は一次電池２から電源が供給される基板部品であり、そのリード端子３３ｂのプリント基板１からの突出長はリード端子３１ｂよりも短く、リード端子３１ｂを頂点として形成される三角形領域Ｒ内に一次電池２とともに配置されている。
【００３１】
このように構成することで、導電性の部材の上に電子回路基板を載せたとしても、三角形の頂点となるリード端子３１ｂの先端が導電性部材と接触するため、一次電池２および一次電池２から電源が供給される基板部品３３のリード端子２ｂ、３３ｂが導電性部材と接触することがなくなる。よって、回路に一次電池２からの電源が供給されて一次電池２が消耗してしまうことが防止される。
【図面の簡単な説明】
【００３２】
【図１】本発明の電子回路基板の断面図である。
【図２】本発明の電子回路基板の半田面を示した図である。
【図３】本発明のリード線の突出長を示す図である。
【図４】本発明のその他の実施例の半田面を示した図である。
【図５】従来の一次電池の取付け状態を示した図である。
【符号の説明】
【００３３】
１      プリント基板
２      一次電池
２ｂ    リード端子（一次電池）
３１    基板部品
３１ｂ  リード端子（基板部品）
Ｒ      多角形領域
【図１】
2010055905.tif 000003
【図２】
2010055905.tif 000004
【図３】
2010055905.tif 000005
【図４】
2010055905.tif 000006
【図５】
2010055905.tif 000007